(57)【特許請求の範囲】
【請求項１】
木ネジ本体と、この木ネジ本体の頭部に該頭部の上面と上面がほぼ同一面となるように回転可能で、かつ該頭部より抜け脱しないように取付けられた円錐台形状の座金とから構成され、前記座金は円錐台形状の座金本体と、この座金本体の下面の傾斜面部位に形成された回転防止用の突起とで構成されていることを特徴とする木ネジ。
【発明の詳細な説明】
【技術分野】
【０００１】
本発明は木ネジに関する。
【背景技術】
【０００２】
従来の木ネジは頭部を円錐台形状に形成し、支持する木材に取付ける木材、ボード、クロス貼りボード等の保持材に、木ネジの頭部が該保持材の表面と同一面となるように取付けて使用するものである。
【０００３】
しかし、保持材に木ネジの頭部を埋没時には、木ネジの回転により頭部を保持材に押し圧しながら回転するため、摩擦と拡範および摩擦熱が発生し、思った以上に木ネジの頭部が保持部材へめり込み、保持材の表面を壊してしまうという欠点があった。
【先行技術文献】
【特許文献】
【特許文献１】  特開２００１−２８９２２３
【発明の概要】
【発明が解決しようとする課題】
【０００４】
本発明は以上のような従来の欠点に鑑み、支持する木材に保持材を木ネジで固定する場合に、保持材に摩擦熱が発生するのを防止して、木ネジの締付け力だけで保持材を固定することができ、保持材が壊れるのを効率よく阻止し、木ネジの頭部と保持材の表面とが同一面となるように取付けることができる木ネジを提供することを目的としている。
【０００５】
本発明の前記ならびにそのほかの目的と新規な特徴は次の説明を添付図面と照らし合わせて読むと、より完全に明らかになるであろう。
【０００６】
ただし、図面はもっぱら解説のためのものであって、本発明の技術的範囲を限定するものではない。
【課題を解決するための手段】
【０００７】
上記目的を達成するために、本発明は木ネジ本体と、この木ネジ本体の頭部に該頭部の上面と上面がほぼ同一面となるように回転可能で、かつ該頭部より抜け脱しないように取付けられた円錐台形状の座金とから構成され、前記座金は円錐台形状の座金本体と、この座金本体の下面の傾斜面部位に形成された回転防止用の突起とで構成している。
【発明の効果】
【０００８】
以上の説明から明らかなように、本発明にあっては次に列挙する効果が得られる。
（１）請求項１により、木ネジ本体に取付けられた円錐台形状の座金によって、支持する木材に保持材を固定する場合、保持材に木ネジ本体の締付けの押し圧力だけ伝わり、木ネジの回転は座金との当接部で行なわれる。
したがって、保持材に従来のように木ネジの頭部との摩擦で発熱するのを確実に防止できるとともに、木ネジの締付けと回転による保持材が壊れるのを確実に防止することができる。    
（２）前記（１） により、木ネジ本体の頭部、座金の頭部および保持材の表面とが同一面となるように取付けることができる。
したがって、従来と同様に使用することができる。
（３）前記（１） により、円錐台形状の座金に木ネジ本体を挿入した状態で使用するので、従来の木ネジと同様にして使用することができる。
（４）前記（１） により、支持する木材と保持材に横ズレが発生しても円錐台形状の座金と木ネジ本体の頭部のズレの発生に変え、保持材の表面を木ネジ本体の頭部で壊すのを効率よく防止することが出来る。
（５）前記（１） により、座金の回転防止用の突起により、座金が回転するのを確実に防止できるとともに、保持材との接触面積が大きくなり、該保持材が壊れるのを効率よく阻止することができる。
【図面の簡単な説明】
【０００９】
【図１】本発明を実施するための第１の形態の正面図。
【図２】本発明を実施するための第１の形態の平面図。
【図３】図１の３−３線に沿う断面図。
【図４】本発明を実施するための第１の形態の木ネジ本体の説明図。
【図５】本発明を実施するための第１の形態の座金の平面図。
【図６】本発明を実施するための第１の形態の座金の底面図。
【図７】図５の７−７線に沿う断面図。
【図８】本発明を実施するための第１の形態の製造状態の説明図。
【図９】本発明を実施するための第１の形態の使用状態の断面説明図。
【図１０】本発明を実施するための第１の形態の使用状態の説明図。
【図１１】本発明者が考えた木ネジの形態の正面図。
【図１２】本発明者が考えた木ネジの形態の平面図。
【図１３】図１１の１３−１３線に沿う断面図。
【図１４】本発明を実施するための第２の形態の正面図。
【図１５】本発明を実施するための第２の形態の平面図。
【図１６】図１４の１６−１６線に沿う断面図。
【図１７】本発明を実施するための第３の形態の正面図。
【図１８】本発明を実施するための第３の形態の平面図。
【図１９】図１７の１９−１９線に沿う断面図。
【符号の説明】
【００１０】
１、１Ａ、１Ｂ、１Ｃ：木ネジ、  ２、２Ａ：木ネジ本体、
３、３Ａ：頭部、
４、４Ａ、４Ｂ、４Ｃ：円錐台形状の座金、
５：係合溝、                    ６：軸部、
７：タッピングネジ、            ８：ネジ部、
９：透孔、                      １０：座金本体、
１１：回転防止用の突起、        １２：支持する木材、
１３：木材、ボード、クロス貼りボード等の保持材、
１４：頭部収納凹部。
【発明を実施するための形態】
【００１１】
以下、図面に示す本発明を実施するための形態により、本発明を詳細に説明する。
【００１２】
図１ないし図１０に示す本発明を実施するための第１の形態において、１は本発明の木ネジで、この木ネジ１は木ネジ本体２と、この木ネジ本体２の頭部３に該頭部３の上面３ａと上面４ａがほぼ同一面となるように回転可能で、かつ該頭部３より抜け脱しないように取付けられた円錐台形状の座金４とで構成されている。
【００１３】
前記木ネジ本体２の頭部３には円錐台形状で、＋のドライバーと係合する係合溝５が形成され、該頭部３と一体形成された軸部６を介して、該軸部６側が軸部６の外径よりも大径で、先端部が順次小径となる外周部にタッピングネジ７が形成されたネジ部８とで構成されている。
【００１４】
前記円錐台形状の座金４は前記木ネジ本体２の頭部３が回転可能で、かつ頭部３の上面３ａと上面４ａがほぼ同一面となり、前記木ネジ本体２の軸部６より大径で、軸部６側のタッピングネジ７の外径寸法よりも小径の透孔９が形成された円錐台形状の座金本体１０と、この座金本体１０の下面の傾斜面１０ａ部位に形成された少なくとも１個以上、本発明の実施の形態では３個の回転防止用の突起１１、１１、１１とで構成されている。
【００１５】
このような構成の本発明の木ネジ１は、タッピングネジ７が形成されていない木ネジ本体２ａに円錐台形状の座金４を挿入して頭部３に位置させた後、軸に軸の径よりも大径となるように転造でタッピングネジ７を形成することで、円錐台形状の座金４が抜け脱することのない木ネジ１を製造することができる。
【００１６】
上記構成の木ネジ１は図９および図１０に示すように、支持する木材１２に木材、ボード、クロス貼りボード等の保持材１３を位置させ、木ネジ１を保持材１３を介して支持する木材１２に螺合させ、円錐台形状の座金４の上面４ａ、木ネジ本体２の頭部３の上面３ａおよび保持材１３の表面１３ａが同一面となるように締付ける。
【００１７】
この時、円錐台形状の座金４と当接する保持材１３には、木ネジ本体２の回転力は伝わらず、締付け方向の押し圧力だけが伝わるため、発熱することなく、壊れるのを効率よく阻止できる。
【００１８】
また、円錐台形状の座金４の回転防止用の突起１１、１１、１１により、円錐台形状の座金４の回転力が確実に阻止されるとともに、座金４の下面４ｂと保持材１３との接触面積が大きくなり、壊れるのを効率よく阻止することができる。
【００１９】
[発明を実施するための異なる形態]
次に、図１１ないし図１９に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２０】
図１１ないし図１３に示す本発明者が考えた木ネジの形態において、前記本発明を実施するための第１の形態と主に異なる点は、回転防止用の突起が形成されていない円錐台形状の座金４Ａを用いた点で、このような円錐台形状の座金４Ａを用いて構成した木ネジ１Ａにしても、前記本発明を実施するための第１の形態と同様な作用効果が得られる。
【００２１】
図１４ないし図１６に示す本発明を実施するための第２の形態において、前記本発明を実施するための第１の形態と主に異なる点は、木ネジ本体２に着脱可能に取付けることができる円錐台形状の座金４Ｂを用いた点で、このような円錐台形状の座金４Ｂを用いて構成した木ネジ１Ｂにしても、前記本発明を実施するための第１の形態と同様な作用効果が得られる。
【００２２】
図１７ないし図１９に示す本発明を実施するための第３の形態において、前記本発明を実施するための第１の形態と主に異なる点は、円盤状の頭部３Ａが形成された木ネジ本体２Ａと、この木ネジ本体２Ａの頭部３Ａが回転可能に収納され、該頭部３Ａの上面３ａと上面４ａがほぼ同一面となる頭部収納凹部１４が形成された円錐台形状の座金４Ｃとを用いた点で、このような木ネジ本体２Ａと円錐台形状の座金４Ｃとを用いて構成した木ネジ１Ｃにしても、前記本発明を実施するための第１の形態と同様な作用効果が得られる。
【産業上の利用可能性】
【００２３】
本発明は木ネジを製造する産業で利用される。
【図１】
0005439582.tif 000002
【図２】
0005439582.tif 000003
【図３】
0005439582.tif 000004
【図４】
0005439582.tif 000005
【図５】
0005439582.tif 000006
【図６】
0005439582.tif 000007
【図７】
0005439582.tif 000008
【図８】
0005439582.tif 000009
【図９】
0005439582.tif 000010
【図１０】
0005439582.tif 000011
【図１１】
0005439582.tif 000012
【図１２】
0005439582.tif 000013
【図１３】
0005439582.tif 000014
【図１４】
0005439582.tif 000015
【図１５】
0005439582.tif 000016
【図１６】
0005439582.tif 000017
【図１７】
0005439582.tif 000018
【図１８】
0005439582.tif 000019
【図１９】
0005439582.tif 000020